(57)【要約】【課題】モニターその他の機器をユーザの要求する所定の位置に長く安定的に保持する。【解決手段】モニターアーム１は各アームがヒンジ装置２及びロック装置３により連結される。ヒンジ装置２は各アームの連結端に形成される軸受２１と軸２２とを有し、ロック装置３は軸２２の一端側に設けられて軸２２の一端側を受ける軸受２１の外側に係合可能なロック部材３０と軸２２の他端側に枢着されて軸２２の他端側を受ける軸受２１の外側を押圧可能なカム形状部３３を有するロックレバー３５と軸２２の他端側を受ける軸受２１とロックレバー３５のカム形状部３３との間に介在される座金３２、３７とを有する。【選択図】図３
2011106533.tif 000002
【特許請求の範囲】
【請求項１】
複数のアームがヒンジ装置を介して相互に回動可能にかつ前記各アーム間がロック装置を介して任意の回動角度に保持可能に連結され、基端側のアームを取付先に固定され、先端側のアームに各種の機器が取り付けられて、各種の機器を取付先に前記各アームの長さの範囲で移動自在に設置する機器支持アームにおいて、
前記ヒンジ装置は、
前記各アームの連結端に形成される軸受と、
前記各アームの各軸受間に挿通される軸と、
を備え、
このヒンジ装置により、前記各アームが相互に前後方向若しくは上下方向又は左右方向に回動可能に連結され、
前記ロック装置は、
前記軸の一端側に設けられて前記軸の一端側を受ける前記軸受の外側に係合可能なロック部材と、
前記軸の他端側に枢着されて前記軸の他端側を受ける前記軸受の外側を内側方向に押圧可能なカム形状部を有するロックレバーと、
前記軸の他端側を受ける前記軸受と前記ロックレバーのカム形状部との間に介在される座金と、
を備え、
前記ロックレバーを前記カム形状部が前記軸受を押圧する方向に回動することにより、前記ロック部材と前記カム形状部との間で前記各軸受を押圧挟持して前記各アーム間を任意の回動角度にロックし、
前記ロックレバーを前記カム形状部が前記軸受に対する押圧を解除する方向に回動することにより、前記ロック部材と前記カム形状部との間で前記各軸受の前記押圧挟持を解除して前記各アーム間の前記ロックを解除する、
ことを特徴とする機器支持アーム。
【請求項２】
軸の一端側を受ける軸受とロック部材との間に座金が介在される請求項１に記載の機器支持アーム。
【請求項３】
各アームの軸受は軸挿通部を有する一対の軸受部からなり、相互に隣接する一方のアームの一対の軸受部の間隔は他方のアームの一対の軸受部の間隔に対して大きく形成されて、前記一方のアームの一対の軸受部間に前記他方のアームの一対の軸受部が前記各軸挿通部の軸芯を合わせて嵌め込まれ、前記他方のアームの一対の軸受部間にカラーが前記各軸挿通部に連通可能に介装されて、軸が前記各一対の軸受部間に前記各軸挿通部及び前記カラーを通じて挿通される請求項１又は２に記載の機器支持アーム。
【請求項４】
基端側のアームに、アーム全体を取付先に支持固定するための固定ベースを備える請求項１乃至３のいずれかに記載の機器支持アーム。
【請求項５】
先端側のアームに、各種の機器を取り付けるための台座を備える請求項１乃至４のいずれかに記載の機器支持アーム。
【発明の詳細な説明】
【技術分野】
【０００１】
本発明は、モニター、パソコン、テレビその他各種の機器を前後方向又は上下方向又は左右方向に移動自在に支持する機器支持アームに関する。
【背景技術】
【０００２】
従来より、モニター、パソコン、テレビなどの各種の機器がオフィスや家庭などで、また自動車その他の車両、飛行機、船舶などで、各種の形式の機器支持アームにより設置されて使用されている。一般に、機器支持アームは、複数のアームがヒンジ装置を介して相互に回動可能にかつ各アームがロック装置を介して任意の回動角度に保持可能に連結されており、基端側のアームが取付先に固定され、先端側のアームに各種の機器が取り付けられて、各種の機器が取付先に各アームの長さの範囲で移動自在に設置されるようになっている。この種の機器支持アームが例えば特許文献１により提案されている。この文献１の支持アームは複数のアームが回動抵抗を有する関節部（ヒンジ装置及びロック装置に相当）を介して回動可能に接続され、この支持アームの先端に情報モニターが枢支されて、情報モニターを所望の方向に向けて保持するようになっている。
【先行技術文献】
【特許文献】
【０００３】
【特許文献１】特開平９−３２６９８０号公報
【発明の概要】
【発明が解決しようとする課題】
【０００４】
しかしながら、上記従来の機器支持アームでは、複数のアーム間の各関節部材が皿ばねや座金などを用いて各アーム間に摩擦抵抗作用を付与するヒンジ機構により構成され、この関節部材の摩擦抵抗作用のみでモニターその他各種の機器の荷重と各アームの荷重を受けているため、関節部材の有する各アーム間の角度を保持する能力に対して荷重が大きく、この支持アームを使用しているうちに、モニターその他各種の機器を支持する能力は次第に低下して、機器は徐々に下がり、ユーザの要求する所定の位置に長く、安定的に保持することができない、という問題がある。
【０００５】
本発明は、このような従来の問題を解決するものであり、モニターその他各種の機器を、ユーザの要求する所定の位置に長く、安定的に保持することのできる優れた機器支持アームを提供すること、を目的とする。
【課題を解決するための手段】
【０００６】
上記目的を達成するために、本発明は、複数のアームがヒンジ装置を介して相互に回動可能にかつ前記各アーム間がロック装置を介して任意の回動角度に保持可能に連結され、基端側のアームを取付先に固定され、先端側のアームに各種の機器が取り付けられて、各種の機器を取付先に前記各アームの長さの範囲で移動自在に設置する機器支持アームにおいて、前記ヒンジ装置は、前記各アームの連結端に形成される軸受と、前記各アームの各軸受間に挿通される軸とを備え、このヒンジ装置により、前記各アームが相互に前後方向若しくは上下方向又は左右方向に回動可能に連結され、前記ロック装置は、前記軸の一端側に設けられて前記軸の一端側を受ける前記軸受の外側に係合可能なロック部材と、前記軸の他端側に枢着されて前記軸の他端側を受ける前記軸受の外側を内側方向に押圧可能なカム形状部を有するロックレバーと、前記軸の他端側を受ける前記軸受と前記ロックレバーのカム形状部との間に介在される座金とを備え、前記ロックレバーを前記カム形状部が前記軸受を押圧する方向に回動することにより、前記ロック部材と前記カム形状部との間で前記各軸受を押圧挟持して前記各アーム間を任意の回動角度にロックし、前記ロックレバーを前記カム形状部が前記軸受に対する押圧を解除する方向に回動することにより、前記ロック部材と前記カム形状部との間で前記各軸受の前記押圧挟持を解除して前記各アーム間の前記ロックを解除する、ことを要旨とする。
本発明はまた、各部に次のような構成を備えることが好ましい。
（１）軸の一端側を受ける軸受とロック部材との間に座金が介在される。
（２）各アームの軸受は軸挿通部を有する一対の軸受部からなり、相互に隣接する一方のアームの一対の軸受部の間隔は他方のアームの一対の軸受部の間隔に対して大きく形成されて、前記一方のアームの一対の軸受部間に前記他方のアームの一対の軸受部が前記各軸挿通部の軸芯を合わせて嵌め込まれ、前記他方のアームの一対の軸受部間にカラーが前記各軸挿通部に連通可能に介装されて、軸が前記各一対の軸受部間に前記各軸挿通部及び前記カラーを通じて挿通される。
（３）基端側のアームに、アーム全体を取付先に支持固定するための固定ベースを備える。
（４）先端側のアームに、各種の機器を取り付けるための台座を備える。
【発明の効果】
【０００７】
本発明の機器支持アームは、ヒンジ装置が、各アームの連結端に形成される軸受と、各アームの各軸受間に挿通される軸とを備え、このヒンジ装置により、各アームが相互に前後方向若しくは上下方向又は左右方向に回動可能に連結され、ロック装置は、軸の一端側に設けられてこの軸の一端側を受ける軸受の外側に係合可能なロック部材と、軸の他端側に枢着されてこの軸の他端側を受ける軸受の外側を内側方向に押圧可能なカム形状部を有するロックレバーと、軸の他端側を受ける軸受とロックレバーのカム形状部との間に介在される座金とを備え、ロックレバーをカム形状部が軸受を押圧する方向に回動することにより、ロック部材とカム形状部との間で各軸受を押圧挟持して各アーム間を任意の回動角度にロックするようにしたので、これらヒンジ装置及びロック装置により、各アームを任意の角度に調整し、強固に固定することができ、モニターその他の各種の機器を、ユーザの要求する所定の位置に長く、安定的に保持することができる。また、ロックレバーをカム形状部が軸受に対する押圧を解除する方向に回動することにより、ロック部材とカム形状部との間で軸受の押圧挟持を解除して各アーム間のロックを解除できるので、各アーム間の角度の変更調整も容易に行うことができる。
【図面の簡単な説明】
【０００８】
【図１】本発明の一実施の形態における機器支持アームの平面断面図
【図２】同機器支持アームの側面断面図
【図３】同機器支持アームの各アームの動きを示す図（（ａ）各アームを左右方向に回動し、各アーム間を任意の角度に調整する状態を示す平面図（ｂ）各アームを前後方向若しくは上下方向に回動し、各アーム間を任意の角度に調整する状態を示す側面図）
【図４】（ａ）本発明の他の実施の形態における機器支持アームの平面断面図（ｂ）同側面断面図
【発明を実施するための形態】
【０００９】
次に、この発明を実施するための形態について図を用いて説明する。なお、この実施の形態では、機器支持アームを、特にモニターを乗用車やトラックなどの車両内に設置するための車載用のモニターアームとして例示し、以下の説明では、この機器支持アームをモニターアームと称する。
【００１０】
図１及び図２に示すように、モニターアーム１は、複数のアーム１１、１２、１３、１４がヒンジ装置２を介して相互に回動可能にかつ各アーム１１、１２、１３、１４がロック装置３を介して任意の回動角度に保持可能に連結される。そして、基端側のアーム１１に、アーム１１〜１４全体を取付先の車両室内（のインパネなど）に支持固定するための固定ベース４がヒンジ装置２及びロック装置３を介して設けられ、先端側のアーム１４に、モニターを取り付けるための台座プレート５が設けられる。
【００１１】
複数のアーム１１、１２、１３、１４は、この場合、４つのアームで構成され、基端側のアーム１１と、中央の２つのアーム１２、１３と、先端側のアーム１４とを備える。
基端側のアーム１１は鋼板により前後端面を開口された所定の長さを有する短い略角筒形に形成され、このアーム１１の場合、前側の連結端にヒンジ装置２の軸受２１を形成するために、左右両側面の前端が前方に向けて略湾曲状に突出され、それぞれの突出部の略中央に軸挿通部２０１か穿たれて、一対の軸受部２０２が垂直方向に向けて形成され、また、後側の連結端にヒンジ装置２の軸受２１を形成するために、上下各面の後端が略湾曲状に突出され、それぞれの突出部の略中央に軸挿通部２０１が穿たれて、一対の軸受部２０２が水平方向に向けて形成される。
中央の一方のアーム１２は鋼板により前後端面を開口された所定の長さを有する長い略角筒形に形成され、このアーム１２の場合、前側の連結端にヒンジ装置２の軸受２１を形成するために、左右両側面の前端がそれぞれ前方に向けて略湾曲状に突出され、それぞれの突出部の略中央に軸挿通部２０１が穿たれて、一対の軸受部２０２が垂直方向に向けて形成され、また、後側の連結端にヒンジ装置２の軸受２１を形成するために、左右両側面の後端がそれぞれ後方に向けて略湾曲状に突出され、それぞれの突出部の略中央に軸挿通部２０１か穿たれて、一対の軸受部２０２が垂直方向に向けて形成される。また、このアーム１２の場合、両側面後端の突出部が基端側のアーム１１の両側面前端の突出部間に嵌合可能に、この中央の一方のアーム１２の左右両側の幅は基端側のアーム１１の左右両側の幅よりも少し小さくなっている（言い換えれば、基端側のアーム１１の左右両側の幅が中央の一方のアーム１２の左右両側の幅よりも少し大きい）。
中央の他方のアーム１３は鋼板により前後端面を開口された所定の長さを有する短い略角筒形に形成され、このアーム１３の場合、前側の連結端にヒンジ装置２の軸受２１を形成するために、上下各面の前端が前方に向けて略湾曲状に突出され、それぞれの突出部の略中央に軸挿通部２０１が穿たれて、一対の軸受部２０２が水平方向に向けて形成され、また、後側の連結端にヒンジ装置２の軸受２１を形成するために、左右両側面の後端が略湾曲状に突出され、それぞれの突出部の略中央に軸挿通部２０１か穿たれて、一対の軸受部２０２が垂直方向に向けて形成される。また、このアーム１３の場合、両側面後端の突出部間に中央の一方のアーム１２の両側面前端の突出部が嵌合可能に、この中央の他方のアーム１２の左右両側の幅が中央の一方のアーム１２の左右両側の幅よりも少し大きくなっている。なお、このアーム１３は中央の一方のアーム１２を挟んで基端側のアーム１１と対称的な形状、大きさに形成される。
先端側のアーム１４は鋼板により断面コ字形に形成され、垂直の前端面に台座プレート５を取り付けるための取付穴１４０が穿たれ、また、後側の連結端にヒンジ装置２の軸受２１を形成するために、上下各面の後端が略湾曲状に突出されて、それぞれの突出部の略中央に軸挿通部２０１が穿たれて、一対の軸受部２０２が水平方向に向けて形成される。また、このアーム１４の場合、上下各面の後端の突出部間に中央の他方のアーム１３の上下各面の前端の突出部が嵌合可能に、この先端側のアーム１４の上下両側の高さが中央の他方のアーム１３の上下両側の高さよりも少し大きくなっている。
【００１２】
固定ベース４は鋼板により断面コ字形に形成され、垂直の後端面に車両室内にボルトなどにより取り付け固定するための取付穴４０が穿たれ、また、前側の連結端にヒンジ装置２の軸受２１を形成するために、上下各面の前端が略湾曲状に突出されて、それぞれの突出部の略中央に軸挿通部２０１が穿たれて、一対の軸受部２０２が水平方向に向けて形成される。また、この固定ベース４の場合、上下各面の前端の突出部間に中央の一方のアーム１２の上下各面の後端の突出部が嵌合可能に、この固定ベース４の上下両側の高さが中央の一方のアーム１２の上下両側の高さよりも少し大きくなっている。なお、この固定ベース４は中央の各アーム１２、１３を挟んで先端側のアーム１４と対称的な形状、大きさに形成される。
台座プレート５は鋼板により所定の大きさを有する略矩形の平板状に形成され、その中央に円形の凹部５１が形成され、その中心にボルト挿通穴５２が穿たれる。
【００１３】
ヒンジ装置２は、各アーム１１、１２、１３、１４の連結端に形成される軸受２１と、各アーム１１、１２、１３、１４の各軸受２１に挿通される軸２２とを備える。この場合、各アーム１１、１２、１３、１４の軸受２１は、既述のとおり、軸挿通部２０１を有する一対の軸受部２０２からなり、相互に隣接する一方のアームの一対の軸受部２０２の間隔が他方のアームの一対の軸受部２０２の間隔に対して少し大きく形成されて、一方のアームの一対の軸受部２０２間に他方のアームの一対の軸受部２０２が嵌合可能に形成される。そして、一方のアームの一対の軸受部２０２間に他方のアームの一対の軸受部２０２が各軸挿通部２０１の軸芯を合わせて嵌め込まれ、他方のアームの一対の軸受部２０２間にカラー２３が各軸挿通部２０１に連通可能に介装されて、軸２２が各軸受２１間に各軸挿通部２０１及びカラー２３を通じて挿通される。このヒンジ装置２により、各アーム１１、１２、１３、１４が相互に前後方向又は上下方向又は左右方向に回動可能に連結される。
ロック装置３はヒンジ装置２の軸２２の一端に設けられて、軸２２の一端を受ける軸受２１の外側に係合可能なロック部材３０と、軸２２の一端を受ける軸受２１とロック部材３０との間に介在される皿ばね３１及び座金３２と、軸２２の他端に枢着されて、軸２２の他端を受ける軸受２１の外側を内側方向に押圧可能なカム形状部３３を有するロックレバー３５と、軸２２の他端を受ける軸受２１とロックレバー３５のカム形状部３３との間に介在される皿ばね３６及び座金３７とを備え、ヒンジ装置２と一体的に構成される。この場合、軸２２は一端にフランジを有するピンが採用され、フランジがロック部材３０として利用される。また、この軸２２の他端にロックレバー３４のカム形状部３３を軸支するための軸挿通部２２０が軸方向に対して直角に形成される。ロックレバー３５はカム形状部３３と操作レバー３４とからなり、カム形状部３３は両側の偏芯位置に軸挿通部３３０を有し、（カム形状部３３の周囲の）カム面３３１の中央に軸２２の他端が嵌合可能な溝３３２が形成され、操作レバー３４はカム形状部３３のカム面３３１の終端部近傍から適宜の方向に延ばされる。そして、ロックレバー３５はカム形状部３３の溝３３２を通して軸２２の他端上に嵌め込まれ、カム形状部３３及び軸２２の各軸挿通部３３０、２２０間に軸３３３を通されて、カム形状部３３が軸２２の他端上で、操作レバー３４の操作により、軸２２の他端を受ける軸受２１の外側を押圧する方向に又はその反対（当該押圧の解除方向）に回動可能に取り付けられる。
【００１４】
このモニターアーム１の場合、複数のアーム１１、１２、１３、１４が、ヒンジ装置２により、次のように連結される。
基端側のアーム１１に中央の一方のアーム１２がヒンジ装置２を介して前後方向若しくは上下方向に回動可能に連結される。この場合、基端側のアーム１１の一対の軸受部２０２間に中央の一方のアーム１２の一対の軸受部２０２が各軸挿通部２０１の軸芯を合わせて嵌め込まれ、中央の一方のアーム１２の一対の軸受部２０２間にカラー２３が各軸挿通部２０１に連通可能に介装され、併せて片側一方の各軸受部２０２の各軸挿通部２０１間と片側他方の各軸受部２０２の各軸挿通部２０１間にそれぞれワッシャ３８が介在され、各アーム１１、１２の各軸受２１の一方、この場合、基端側のアーム１１の片側一方の軸受部２０２とロック部材３０との間に皿ばね３１及び座金３２を介して、基端側のアーム１１の片側他方の軸受部２０２とロックレバー３５のカム形状部３３との間に皿ばね３６及び座金３７を介して、軸２２が各軸受２１間に各軸挿通部２０１、各座金３２、３７、各皿ばね３１、３６、各ワッシャ３８、及びカラー２３を通じて挿通される。なお、この場合、カラー２３の回りにコイルスプリング３９が巻き付けられて、その両端が基端側のアーム１１及び中央の一方のアーム１２にそれぞれ係止されて、基端側のアーム１１に対して中央の一方のアーム１２が上下動可能にかつ任意の回動角度に保持可能になっている。
この中央の一方のアーム１２に中央の他方のアーム１３がヒンジ装置２を介して前後方向若しくは上下方向に回動可能に連結される。この場合、中央の他方のアーム１３の一対の軸受部２０２間に中央の一方のアーム１２の一対の軸受部２０２が各軸挿通部２０１の軸芯を合わせて嵌め込まれ、中央の一方のアーム１２の一対の軸受部２０２間にカラー２３が各軸挿通部２０１に連通可能に介装され、併せて片側一方の各軸受部２０２の各軸挿通部２０１間と片側他方の各軸受部２０２の各軸挿通部２０１間にそれぞれワッシャ３８が介在され、各アーム１２、１３の各軸受２１の一方、この場合、中央の他方のアーム１３の片側一方の軸受部２０２とロック部材３０との間に皿ばね３１及び座金３２を介して、中央の他方のアーム１３の片側他方の軸受部２０２とロックレバー３５のカム形状部３３との間に皿ばね３６及び座金３７を介して、軸２２が各一対の軸受２１間に各軸挿通部２０１、各座金３２、３７、各皿ばね３１、３６、各ワッシャ３８、及びカラー２３を通じて挿通される。なお、この場合、カラー２３の回りにコイルスプリング３９が巻き付けられて、その両端が中央の一方のアーム１２及び中央の他方のアーム１３にそれぞれ係止されて、中央の一方のアーム１２に対して中央の他方のアーム１３が上下動可能にかつ任意の回動角度に保持可能になっている。
この中央の他方のアーム１３に先端側のアーム１４がヒンジ装置２を介して左右方向に回動可能に連結される。この場合、先端側のアーム１４の一対の軸受部２０２間に中央の他方のアーム１３の一対の軸受部２０２が各軸挿通部２０１の軸芯を合わせて嵌め込まれ、中央の他方のアーム１３の一対の軸受部２０２間にカラーが各軸挿通部２０１に連通可能に介装され、併せて片側一方の各軸受部２０２の各軸挿通部２０１間と片側他方の各軸受部２０２の各軸挿通部２０１間にそれぞれワッシャ３８が介在され、各アーム１３、１４の各軸受２１の一方、この場合、先端側のアーム１４の片側一方の軸受部２０２とロック部材３０との間に皿ばね３１及び座金３２を介して、先端側のアーム１４の片側他方の軸受部２０２とロックレバー３５のカム形状部３３との間に皿ばね３６及び座金３７を介して、軸２２が各一対の軸受２１間に各軸挿通部２０１、各座金３２、３７、各皿ばね３１、３６、各ワッシャ３８、及びカラー２３を通じて挿通される。
【００１５】
また併せて、基部側のアーム１１に固定ベース４が、ヒンジ装置２により、次のように連結され、先端側のアーム１４に台座プレート５が、ボルト５３及びナット５４により、次のように連結される。
固定ベース４に基端側のアーム１１がヒンジ装置２を介して左右方向に回動可能に連結される。この場合、固定ベース４の一対の軸受部２０２間に基端側のアーム１１の一対の軸受部２０２が各軸挿通部２０１の軸芯を合わせて嵌め込まれ、基端側のアーム１１の一対の軸受部２０２間にカラー２３が各軸挿通部２０１に連通可能に介装され、併せて片側一方の各軸受部２０２の各軸挿通部２０１間と片側他方の各軸受部２０２の各軸挿通部２０１間にそれぞれワッシャ３８が介在され、固定ベース４と基端側のアーム１１の各軸受２１の一方、この場合、固定ベース４の片側一方の軸受部２０２とロック部材３０との間に皿ばね３１及び座金３２を介して、固定ベース４の片側他方の軸受部２０２とロックレバー３５のカム形状部３３との間に皿ばね３６及び座金３７を介して、軸２２が各一対の軸受２１間に各軸挿通部２０１、各座金３２、３７、各皿ばね３１、３６、各ワッシャ３８、及びカラー２３を通じて挿通される。
先端側のアーム１４の前端面の正面に台座プレート５が重ねられ、先端側のアーム１４の取付穴１４０と台座プレート５のボルト挿通穴５２が合わせられて、これらの穴１４０、５２にボルト５３がアーム１４の前端面の正面から通され、ワッシャ５５を介して、先端側のアーム１４の前端面の背面側でナット５４に螺合され、先端側のアーム１４の前端面に台座プレート５が固定される。
【００１６】
このようにしてモニターアーム１は固定ベース４により車両室内に固定され、先端側のアーム１４に備えた台座プレート５にモニターが取り付けられて、モニターが車両室内に各アーム１１、１２、１３、１４の長さの範囲で移動（調整）可能に設置される。そして、モニターの設置位置はモニターアーム１の各アーム１１、１２、１３、１４間がユーザの任意の角度に調整され、これがロック装置３により固定される。
すなわち、固定ベース４と基端側のアーム１１との間では、図３（ａ）に示すように、固定ベース４に基端側のアーム１１がヒンジ装置２を介して左右方向に回動可能に連結されているので、固定ベース４と基端側のアーム１１との間がユーザの任意の角度に調整され、これがロック装置３により固定される。この固定ベース４と基端側のアーム１１の場合、（図２参照）ロックレバー３５をカム形状部３３が固定ベース４の片側他方の軸受部２０２を押圧する方向に回動することにより、（ロック部材３０とカム形状部３３との間で軸２２がカム形状部３３の方向に引張られ）ロック部材３０とカム形状部３３との間でカラー２３を介して固定ベース４及び基端側のアーム１１の各軸受部２０２が押圧挟持されて、固定ベース４と基端側のアーム１１との間をユーザーの任意の回動角度にロックする。
基端側のアーム１１と中央の一方のアーム１２との間では、図３（ｂ）に示すように、基端側のアーム１１に中央の一方のアーム１２がヒンジ装置２を介して前後方向若しくは上下方向に回動可能に連結されているので、各アーム１１、１２の間がユーザの任意の角度に調整され、これがロック装置３により固定される。この基端側のアーム１１と中央の一方のアーム１２の場合、（図１参照）ロックレバー３５をカム形状部３３が基端側のアーム１１の片側他方の軸受部２０２を押圧する方向に回動することにより、（ロック部材３０とカム形状部３３との間で軸２２がカム形状部３３の方向に引張られ）ロック部材３０とカム形状部３３との間でカラー２３を介して各アーム１１、１２の各軸受部２０２が押圧挟持されて、基端側のアーム１１と中央の一方のアーム１２との間をユーザーの任意の回動角度にロックする。
中央の一方のアーム１２と中央の他方のアーム１３との間では、図３（ｂ）に示すように、中央の一方のアーム１２に中央の他方のアーム１３がヒンジ装置２を介して前後方向若しくは上下方向に回動可能に連結されているので、各アーム１２、１３の間がユーザの任意の角度に調整され、これがロック装置３により固定される。この中央の一方のアーム１２と中央の他方のアーム１３の場合、（図１参照）ロックレバー３５をカム形状部３３が中央の他方のアーム１３の片側他方の軸受部２０２を押圧する方向に回動することにより、（ロック部材３０とカム形状部３３との間で軸２２がカム形状部３３の方向に引張られ）ロック部材３０とカム形状部３３との間でカラー２３を介して各アーム１２、１３の各軸受部２０２が押圧挟持されて、中央の一方のアーム１２と中央の他方のアーム１３との間をユーザーの任意の回動角度にロックする。
中央の他方のアーム１３と先端側のアーム１４との間では、図３（ａ）に示すように、中央の他方のアーム１３に先端側のアーム１４がヒンジ装置２を介して左右方向に回動可能に連結されているので、各アーム１３、１４の間がユーザの任意の角度に調整され、これがロック装置３により固定される。この中央の他方のアーム１３と先端側のアーム１４の場合、（図２参照）ロックレバー３５をカム形状部３３が先端側のアーム１４の片側他方の軸受部２０２を押圧する方向に回動することにより、（ロック部材３０とカム形状部３３との間で軸２２がカム形状部３３の方向に引張られ）ロック部材３０とカム形状部３３との間でカラー２３を介して各アーム１３、１４の各軸受部２０２が押圧挟持されて、中央の他方のアーム１３と先端側のアーム１４との間をユーザーの任意の回動角度にロックする。
なお、固定ベース４と基端側のアーム１１との間で又は各アーム１１、１２、１３、１４間で回動角度を変更する場合は、各部のロックレバー３５をカム形状部３３が各軸受部２０２の押圧を解除する方向に回動して、ロック部材３０とカム形状部３３との間で各軸受部２０２の押圧挟持を解除することにより、固定ベース４と基端側のアーム１１との間又は各アーム１１、１２、１３、１４間のロック状態を解除して、あらためて各部の角度を調整した後、既述のとおり、各ロック装置３をロックすればよい。
【００１７】
以上説明したように、このモニターアーム１によれば、ヒンジ装置２が、各アーム１１、１２、１３、１４の連結端に形成される軸受２１と、各アーム１１、１２、１３、１４の各軸受部２１間に挿通される軸２２とを備え、このヒンジ装置２により、各アームアーム１１、１２、１３、１４が相互に前後方向若しくは上下方向又は左右方向に回動可能に連結され、ロック装置３は、軸２２の一端側に設けられて軸２２の一端側を受ける軸受２１の外側に係合可能なロック部材３０と、軸２２の一端側を受ける軸受２１とロック部材３０との間に介在される皿ばね３１及び座金３２と、軸２２の他端側に枢着されて軸２２の他端側を受ける軸受２１の外側を内側方向に押圧可能なカム形状部３３を有するロックレバー３５と、軸２２の他端側を受ける軸受２１とロックレバー３５のカム形状部３３との間に介在される皿ばね３６及び座金３７とを備え、ロックレバー３５をカム形状部３３が軸受２１の外側を押圧する方向に回動することにより、ロック部材３０とカム形状部３３との間で（カラー２３を介して）各軸受２１を押圧挟持して各アーム１１、１２、１３、１４間を任意の回動角度にロックするようにしたので、これらヒンジ装置２及びロック装置３により、各アーム１１、１２、１３、１４を任意の角度に調整し、強固に固定することができ、モニターその他各種の機器を、ユーザの要求する所定の位置に長く、安定的に保持することができる。また、ロックレバー３５をカム形状部３３が軸受２１に対する押圧を解除する方向に回動することにより、ロック部材３０とカム形状部３３との間で各軸受２１の押圧挟持を解除して各アーム１１、１２、１３、１４間のロックを解除できるので、各アーム１１、１２、１３、１４間の角度の変更調整も容易に行うことができる。
【００１８】
なお、この実施の形態では、モニターアーム１が、４本のアーム１１、１２、１３、１４により構成された２関節タイプとして例示されているが、アームの本数は必要に応じて変更可能であり、各アーム間の回動角度を任意に変更することができる。図４に３本のアーム１１、１２、１３により構成された１関節タイプを示している。このモニターアームの場合、上記実施の形態の基端側のアームと中央の一方のアームが一つになった点のみが異なり、その他は上記実施の形態と共通の構成になっている。このようにしても概ね上記実施の形態と同様の作用効果を得ることができる。
【符号の説明】
【００１９】
１  モニターアーム（機器支持アーム）
１１  基端側のアーム
１２  中央の一方のアーム
１３  中央の他方のアーム
１４  先端側のアーム
１４０  取付穴
２  ヒンジ装置
２１  軸受
２０１  軸挿通部
２０２  軸受部
２２  軸
２２０  軸
２３  カラー
３  ロック装置
３０  ロック部材
３１  皿ばね
３２  座金
３３  カム形状部
３３０  軸挿通部
３３１  カム面
３３２  溝
３３３  軸
３４  操作レバー
３５  ロックレバー
３６  皿ばね
３７  座金
３８  ワッシャ
３９  コイルスプリング
４  固定ベース
４０  取付穴
５  台座プレート
５１  凹部
５２  ボルト挿通穴
５３  ボルト
５４  ナット
５５  ワッシャ
【図１】
2011106533.tif 000003
【図２】
2011106533.tif 000004
【図３】
2011106533.tif 000005
【図４】
2011106533.tif 000006